(57)【要約】【課題】確実に挿入でき、且つ構造が単純で製造しやすい安価な螺旋コイル状挿入体を提供することを目的とする。【解決手段】螺旋状コイル挿入体１を外径が一定の円筒部Ａと、この円筒部Ａから先端に向けて外径を漸減したテーパ部Ｂとで構成する。円筒部Ａの外側ネジピッチ径ＰＤ１を雌ネジ５０ピッチ径より大きく形成し、テーパ部Ｂの一巻き以上の内側ネジピッチ径ＰＤ２を雄ネジ２０ピッチ径より小さく形成する。テーパ部Ｂの先端をそのまま延長して小径円筒部Ｃを形成してもよい。【選択図】　　　　　　図４
2004130011.tif 000002
【特許請求の範囲】
【請求項１】
断面菱形の線材をコイル状に巻き上げて形成し、軟質材の雌ネジに装着する螺旋状コイル挿入体であって、
前記螺旋状コイル挿入体は外径を一定にした円筒部と、
前記円筒部から先端に向けて外径を漸減したテーパ部と、からなり、
前記円筒部の外側ネジピッチ径を雌ネジピッチ径より大きく形成し、テーパ部の一巻き以上の内側ネジピッチ径を雄ネジピッチ径より小さく形成したことを特徴とする、
螺旋コイル状挿入体。
【請求項２】
請求項１に記載する螺旋コイル状挿入体において、
前記テーパ部の先端を円筒状に延長して小径円筒部を形成したことを特徴とする、螺旋コイル状挿入体。
【発明の詳細な説明】
【０００１】
【発明の属する技術分野】
本発明は、軟質材の雌ネジを補強するために使用される螺旋コイル状挿入体に関するものである。
【０００２】
【従来の技術】
螺旋コイル状挿入体（以下、挿入体と言う）は、雌ネジと雄ネジとの間に装着するもので、通常は先ず雌ネジに挿入体を挿入してから雄ネジをねじ込む。
挿入体を雌ネジに挿入するときに、挿入力を掛けるために挿入体の先端に直線部を有するもの（特公昭２８−４号公報）や、直線部の代わりに先端部内側に切欠きを設けたものがある（米国特許２３６３７８９号、実公昭２９−６１０９号公報）。
これらの挿入体は、直線部または切欠きに挿入工具を引っ掛けて回転力を伝え、回転させながら雌ネジに挿入する。
【０００３】
【発明が解決しようとする課題】
しかしながら、前記した従来の挿入体にあっては、次のような問題点がある。
＜イ＞直線部を有するものは、雄ネジを挿入していくときに直線部が邪魔になる。このため、挿入後に折り取って除去する必要がある。折り取りやすいように直線部の近くのコイル表面に折り取り用の切欠きを加工しておく必要があり、コスト高となる。また折取った切片を雌ネジ穴から取り出す作業を必要とし、手間がかかる。
＜ロ＞切欠きを設けたものは、挿入体を雌ネジに挿入するためにバネ力で出入りするツメを持つ挿入工具を必要とするが、構造が複雑で高価である。また、挿入工具に引っ掛ける挿入体の先端部の構造は、切欠きを含め複雑でコストがかかる。また、小さいサイズでは、その切欠きが小さいために挿入工具のツメが掛かりにくく、挿入ミスが出やすい等の欠点がある。
【０００４】
【発明の目的】
本発明は上記したような従来の問題点に鑑みて考えられたもので、直線部及び切欠きを不用にした螺旋コイル状挿入体を提供することを目的とする。
また本発明は、確実に挿入でき、且つ構造が単純で製造しやすい安価な螺旋コイル状挿入体を提供することを目的とする。
本発明は、上記目的のうち少なくとも一つを達成するようにしたものである。
【０００５】
【課題を解決するための手段】
上記のような目的を達成するために、本発明の螺旋コイル状挿入体は、断面菱形の線材をコイル状に巻き上げて形成し、軟質材の雌ネジに装着する螺旋状コイル挿入体であって、前記螺旋状コイル挿入体は外径を一定にした円筒部と、前記円筒部から先端に向けて外径を漸減したテーパ部と、からなり、前記円筒部の外側ネジピッチ径を雌ネジピッチ径より大きく形成し、テーパ部の一巻き以上の内側ネジピッチ径を雄ネジピッチ径より小さく形成したことを特徴とする。
【０００６】
また、前記テーパ部の先端を円筒状に延長して小径円筒部を形成し、挿入のガイドとすることができる。
【０００７】
【発明の実施の形態１】
以下図面を参照しながら、本発明に係る一実施の形態について説明する。
【０００８】
＜イ＞全体の構成（図４）
ボルト２などの雄ネジ２０に螺旋状コイル挿入体（以下、挿入体という）１を螺着して取り付けてから、ボルト２を構造体５の雌ネジ５０にねじ込んで被締結部材４を締め付ける。
本発明の挿入体１は、直線部及び切欠きを不用にしたものである。
【０００９】
＜ロ＞挿入体（図１、図２）
挿入体１は右ネジ用で、右ネジと同じ螺旋状コイルとなっている。
挿入体１は断面が菱形の線材１０を巻き上げて形成する。この菱形の線材１０の形状と寸法は、雄ネジ２０及び雌ネジ５０のネジ山の形状と寸法に適合させてある。
図２において、ＰＤ１は挿入体１の外側ネジピッチ径を示し、ＰＤ２は内側ネジピッチ径を示す。
挿入体１は、外径が一定な円筒部Ａとこの円筒部Ａから先端に向けて外径が漸減したテーパ部Ｂとからなる。
円筒部Ａの外側ネジピッチ径ＰＤ１及び内側ネジピッチ径ＰＤ２は、一定である。
また、円筒部Ａの外側ネジピッチ径ＰＤ１及び内側ネジピッチ径ＰＤ２は、夫々雌ネジ５０ピッチ径及び雄ネジ２０ピッチ径より大きくしてある。
テーパ部Ｂは食付き部分で、外側ネジピッチ径ＰＤ１、内側ネジピッチ径ＰＤ２は漸減しており、その最端部の一巻き以上の範囲で内側ネジピッチ径ＰＤ２が雄ネジ２０ピッチ径より小さく形成してある。
【００１０】
次に、挿入体１を軟質材からなる構造体５の雌ネジ５０に装着する場合について説明する。
＜イ＞ボルト２に取り付け（図３）
先ず、挿入体１をボルト２に取り付ける。
挿入体１をボルト２に取り付けるには、挿入体１の円筒部Ａから雄ネジ２０を挿入し、右回転させながらテーパ部Ｂへ向けて螺合していく。
円筒部Ａの内側ネジピッチ径ＰＤ２は、雄ネジ２０より大径のため、雄ネジ２０と挿入体１とは容易に螺合していき、最後に雄ネジ２０の先端がテーパ部Ｂに螺合し始める。
このとき挿入体１は雄ネジ２０のネジ溝に沿って滑っていく。
テーパ部Ｂの内側ネジピッチ径ＰＤ２は徐々に小さくなり、最端部の一巻き以上の範囲は雄ネジ２０ピッチ径より小さいため、この部分の螺合が半周以上になると挿入体１は押し拡げられ増径し、その弾性で雄ネジ２０に巻き付く形で密着し、摩擦力を生ずる。
この摩擦力は螺合長の増加とともに急激に増加する。
円筒部Ａは径が大きいので雄ネジ２０に密着しない。テーパ部Ｂの一部である雄ネジ密着部Ｄは、雄ネジ２０に巻き付き密着している。
【００１１】
＜ロ＞雌ネジ５０に挿入（図４）
このようにして、挿入体１を取り付けたボルト２（図３参照）を雌ネジ５０に挿入する。
このとき、挿入体１の先端から雄ネジ密着部Ｄまでの外側ネジピッチ径ＰＤ１は、雌ネジ５０のピッチ径より小さくスキマがあるので、極めて小さい回転力で入っていく。
さらに回転させると、外側ネジピッチ径ＰＤ１が漸増するテーパ部Ｂの途中で雌ネジ５０に接触し、さらに回転させると挿入体１は縮径し、雌ネジ５０のネジ溝に沿って滑りつつ入っていく。
こうして、ボルト２とともに挿入体１をねじ込んでいく。
本例では、ボルト２は六角ボルトであり、平座金３を介して被締付部材４を固定している。図４は、ボルト２を十分に回転させ、締め込んだ状態である。
挿入体１は外側で雌ネジ５０に密着し、内側で雄ネジ２０に密着し、両者を摩擦力で固定している。
【００１２】
＜ハ＞ボルト２の抜き取り（図５）
ボルト２を抜き取る場合は、固定された状態を解除するためにボルト２を左回転させる。
回転前は挿入体１の円筒部Ａは、外方向への弾性で雌ネジ５０に密着し、摩擦力でずれない状態である。雄ネジ密着部Ｄは、雄ネジ２０に内方向への弾性で巻き付いて密着し、摩擦力でずれない状態にある。
雄ネジ２０が左回転するとき、雌ネジ５０から円筒部Ａに掛かる摩擦力ＦＡは右回転方向、雄ネジ２０から雄ネジ密着部Ｄに掛かる摩擦力ＦＤは左回転方向となり、逆方向である。
このため、円筒部Ａと雄ネジ密着部Ｄとの間の部分Ｅの線材１０は、逃げ場を求め外方向に膨らみはじめる。この膨らみは円筒部Ａにおよんで、円筒部Ａをさらに強く雌ネジ５０に押し付け、摩擦力を増大させる。
また、膨らみは雄ネジ密着部Ｄにもおよび、ネジ密着部Ｄを膨らませて雄ネジ２０から離れるようにするために摩擦力は減少する。
こうして雄ネジ２０は挿入体１からずれはじめ、さらなる左回転で抜け出すが、挿入体１はそのまま雌ネジ５０に残る。
また再度、ボルト２を右回転させて挿入体１にねじ込むことで、前の締付位置に装着することができる。
【００１３】
【発明の実施の形態２】
挿入体１の食付き部分であるテーパ部Ｂの先端を、そのまま同径で延長して小径円筒部Ｃを形成してもよい（図６参照）。
この小径円筒部Ｃは、雌ネジ５０への挿入ガイドとして働き、作業性の向上に役立つ。
【００１４】
【本発明の効果】
本発明は、以上説明したようになるから次のような効果を得ることができる。
＜イ＞直線部や切欠きを設けることなく、円筒部とこれに続くテーパ部だけで構成したので、構造は単純で安価に製造できる。また、直線部や切欠きがないので、従来の螺旋コイル状挿入体に比べて取り扱いが簡単である。
＜ロ＞雄ネジに付けたまま雌ネジに挿入できるので、特別な挿入工具を必要としない。挿入後に折り取る部分もない。このような特長によりコストダウンに貢献する。
＜ハ＞合理的な食付き部を持ち無理なく挿入できるので、従来品のようにピッチが不正になる不具合も発生せず、品質向上にも寄与する。特に小サイズにおいてこの特長は顕著となるので、最近、増加しつつある微小部品への使用に適する。
【図面の簡単な説明】
【図１】本発明の挿入体の側面図。
【図２】本発明の挿入体の断面図。
【図３】挿入体をボルトに螺着した状態を示す説明図。
【図４】挿入体を取り付けたボルトを雌ネジにねじ込んだ状態を示す説明図。
【図５】ボルトを抜き取る状態を示す説明図。
【図６】他の実施例を示す側面図。
【符号の説明】
１・・・・挿入体
Ａ・・・・円筒部
Ｂ・・・・テーパ部
Ｃ・・・・小径円筒部
Ｄ・・・・雄ネジ密着部
１０・・・線材
２・・・・ボルト
２０・・・雄ネジ
４・・・・被締結部材
５・・・・構造体
５０・・・雌ネジ
【図１】
2004130011.tif 000003
【図２】
2004130011.tif 000004
【図３】
2004130011.tif 000005
【図４】
2004130011.tif 000006
【図５】
2004130011.tif 000007
【図６】
2004130011.tif 000008